(57)【要約】【課題】  鞄と実用的に兼用可能な巡礼用具収納ケースの固定構造を提供すること。【解決手段】  巡礼の際に用いられる小物を収納する構造において、収納ケースは背板部と前板部との間に小物を収納する収納部を有する。背板部に設けたホックを、鞄本体のホックと嵌合させることにより、収納ケースを鞄本体の内部に固定可能である。収納ケースを鞄本体から取り出し、鞄本体のホックを他の鞄本体のホックと嵌合させることにより鞄本体の上部を塞ぐことが可能であることにある。また、前板部より背板部の上端を高く構成し、ホックを前板部よりも高い位置に配置する。【選択図】    図１
0003107105.tif 000002
【実用新案登録請求の範囲】
【請求項１】
巡礼の際に用いられる小物を収納する巡礼用具収納ケースの固定構造であって、前記収納ケースは背板部と前板部との間に小物を収納する収納部を有し、前記背板部に設けたホックを、鞄本体のホックと嵌合させることにより、収納ケースを鞄本体の内部に固定可能であり、前記収納ケースを前記鞄本体から取り出し、前記鞄本体のホックを他の鞄本体のホックと嵌合させることにより前記鞄本体の上部を塞ぐことが可能であることを特徴とする巡礼用具収納ケースの固定構造。
【請求項２】
前記前板部より前記背板部の上端を高く構成し、前記ホックを前記前板部よりも高い位置に配置したことを特徴とする請求項１記載の巡礼用具収納ケースの固定構造。
【考案の詳細な説明】
【技術分野】
【０００１】
本考案は例えば御遍路さんに用いられるさんや袋などの巡礼用具収納ケースの固定構造に関する。
【背景技術】
【０００２】
上述のごとき収納ケースとしては、収納ケースが鞄と一体になっているものが殆どで、鞄単体としての使用が不能であった。
また、ホックを利用して次の文献に記載のものが知られている。しかし、当該文献のごときものは、単にパスポートホルダーを鞄内に固定する機能を有するに過ぎなかった。
【特許文献１】特開２０００−１１６４２６号公報
【考案の開示】
【考案が解決しようとする課題】
【０００３】
上記実情に鑑みて、本考案の目的は、鞄と実用的に兼用可能な巡礼用具収納ケースの固定構造を提供することにある。
【課題を解決するための手段】
【０００４】
上記課題を解決するため、本考案に係る巡礼用具収納ケースの固定構造の特徴は、巡礼の際に用いられる小物を収納する構造であって、前記収納ケースは背板部と前板部との間に小物を収納する収納部を有し、前記背板部に設けたホックを、鞄本体のホックと嵌合させることにより、収納ケースを鞄本体の内部に固定可能であり、前記収納ケースを前記鞄本体から取り出し、前記鞄本体のホックを他の鞄本体のホックと嵌合させることにより前記鞄本体の上部を塞ぐことが可能であることにある。
【０００５】
また、前記前板部より前記背板部の上端を高く構成し、前記ホックを前記前板部よりも高い位置に配置してもよい。
【考案の効果】
【０００６】
上記本考案の特徴によれば、ホックを着脱することにより、鞄と実用的に兼用可能な巡礼用具収納ケースの固定構造を提供することが可能となった。また、前板部よりもホックを高い位置に取り付けることで、ホックによる着脱操作がよりスムースに行えるようになった。
本考案の他の目的、構成及び効果については、以下の考案の実施の形態の項から明らかになるであろう。
【考案を実施するための最良の形態】
【０００７】
次に、図面を参照しながら本考案の実施形態について説明する。
図１は本考案に係るさんや袋１の斜視図であり、鞄本体２と収納ケース３とを備えている。鞄本体２は鞄胴部１１及び肩ひも１２と、鞄胴部１１の上部を覆うフラップ１３と、鞄胴部１１の上部を開閉するファスナー１４とを備える。鞄胴部１１の前部には、フラップ１３で覆われる前ポケット１５が設けられ、その中に収納ケース３が収納されている。
【０００８】
収納ケース３は、図２〜図９に示すように、背板部２１とこれより上端がやや低い前板部２２とを側板部２３で連結し、仕切２４で仕切られて収納部２５（収納部２５ａ〜ｃ）を形成し、底部２６が閉じられている。収納ケース３は図９のポリプロピレン、塩化ビニル、紙等の基材３’を折り畳むことにより構成されている。
【０００９】
収納ケース３には、図２に示すように、線香１０１，ローソク１０２，ライター１０３，納め札１０４等が収納される。また、中央の収納部２５ｂにはスポンジ２９が挿入され、ローソク１０２のクッション及び高さ調整の機能を果たす。一方の側板部２３には切り欠きを介してペン１０５が取り付け可能である。そして、前板部２２より背板部２１の上端を高く構成し、ホック２８を前板部２２よりも高い位置に配置することで、前板部２２にホック２８の操作を阻害されず、また、ホック２８の操作時に背板部２１の弾性変形を利用して容易に着脱が行え、線香や蝋燭を痛めることもない。
【００１０】
図１，２，１０，１１に示すように、収納ケース３の背板部２１中央上部には、開口部を外側に向けてケース側雌ホック２８が取り付けられている。一方、鞄胴部１１の前ポケット１５における内側には鞄雄ホック１６が設けられている。両者の高さは、収納ケース３が前ポケット１５内に挿入されて底まで至っている状態でほぼ同じになるように形成されている。よって、この鞄雄ホック１６にケース側雌ホック２８を嵌合させることで前ポケット１５内に収納ケース３が固定可能となる。また、前ポケット１５の外側壁には鞄雌ホック１７が設けられ、収納ケース３の非使用時には、鞄雄ホック１６と嵌合して前ポケット１５の上部を塞ぐ。
【００１１】
なお、上記実施形態では、鞄雄ホック１６，鞄雌ホック１７，ケース側雌ホック２８として合成樹脂製のホックを用いたが、金属製のものでもよく、また、形状は添付図面のものに限られない。鞄本体２，収納ケース３の材料及び形状についても適宜変更が可能である。
【産業上の利用可能性】
【００１２】
本考案は、御遍路さんに用いられるさんや袋などの鞄に線香、蝋燭、札などを収納する巡礼用具収納ケースを着脱させる構造として実用的に利用可能である。
【図面の簡単な説明】
【００１３】
【図１】さんや袋の斜視図である。
【図２】収納ケースの斜視図である。
【図３】収納ケースの平面図である。
【図４】収納ケースの正面図である。
【図５】収納ケースの底面図である。
【図６】収納ケースの背面図である。
【図７】（ａ）は収納ケースの右側面図、（ｂ）は収納ケースの左側面図、（ｃ）は収納ケースのＡ−Ａ断面図である。
【図８】収納ケースのＢ−Ｂ断面図である。
【図９】収納ケースの分解図である。
【図１０】収納ケースのホック近傍の鞄への取り付け状態を示す断面図である。
【図１１】収納ケースのホック近傍の前ポケットを閉じた状態を示す断面図である。
【符号の説明】
【００１４】
１：さんや袋，２：鞄本体，３：収納ケース，１１：鞄胴部，１２：肩ひも，１３：フラップ，１４：ファスナー，１５：前ポケット，１６：鞄雄ホック，１７：鞄雌ホック，１９：前ポケット，２１：背板部，２２：前板部，２３：側板部、２４：仕切，２５，２５ａ−ｃ：収納部、２６：底部、２８：ケース側雌ホック、２９：スポンジ、１０１：線香，１０２：ローソク，１０３：ライター，１０４：納め札，１０５：ペン
【図１】
0003107105.tif 000003
【図２】
0003107105.tif 000004
【図３】
0003107105.tif 000005
【図４】
0003107105.tif 000006
【図５】
0003107105.tif 000007
【図６】
0003107105.tif 000008
【図７】
0003107105.tif 000009
【図８】
0003107105.tif 000010
【図９】
0003107105.tif 000011
【図１０】
0003107105.tif 000012
【図１１】
0003107105.tif 000013